(57)【要約】【課題】空調装置および冷凍冷蔵ショーケースが配置されている空間内における人数の影響も考慮して総合的にエネルギーの消費量を低減する。【解決手段】データ集計部１４は、空調装置３１および冷凍冷蔵ショーケース３２を制御する設定データと、空調装置３１および冷凍冷蔵ショーケース３２での消費電力量および運転データと、外気温を含む環境データをデータセットとし、外気温ごとにデータセットを分類する。環境条件別分析部１５は、外気温ごとのデータセットを用い外気温ごとに省エネルギーとなる最適な設定データを求める。また、環境条件別分析部１５は、データセットの消費電力量について人数計数装置３５が計数した空間の人数による補正を行う。時間帯別分析部１６は、外気温ごとの最適な設定データを用いて時間帯別に省エネルギーとなる最適な設定データを求める。【選択図】図１
2011257072.tif 000002
【特許請求の範囲】
【請求項１】
空調装置と冷凍冷蔵ショーケースとが配置された空間において、前記空調装置と前記冷凍冷蔵ショーケースとを含む空間のエネルギーの消費量を管理するエネルギー管理装置であって、前記空調装置および前記冷凍冷蔵ショーケースの動作を設定データに基づいて制御するコントローラと、前記空調装置および前記冷凍冷蔵ショーケースにおけるエネルギーの消費量を含む運転データを監視する運転データ監視部と、前記空調装置および前記冷凍冷蔵ショーケースの室外機の周辺の外気温を含む環境データを監視する環境データ監視部と、１組の運転データに対して時間帯が同じである環境データおよび設定データを関連付けて１つのデータセットとし環境データの特定の環境条件ごとのデータセットを分類するデータ集計部と、前記環境条件ごとにデータセットの中の運転データに含まれる空調装置および冷凍冷蔵ショーケースのエネルギーの消費量に着目して前記環境条件ごとに省エネルギーとなる最適な設定データを求める環境条件別分析部と、前記環境条件別分析部が求めた前記環境条件ごとの最適な設定データを用いて時間帯別の前記環境条件の平均値から時間帯別に省エネルギーとなる最適な設定データを求める時間帯別分析部と、前記空間に存在する人数を計数する人数計数装置とを備え、前記環境データ監視部が監視する環境データは、前記人数計数装置により計数した人数を含み、前記環境条件別分析部は、前記環境条件ごとの最適な設定データを求める際に環境データに含まれる人数による補正を行うことを特徴とするエネルギー管理装置。
【請求項２】
前記環境条件別分析部により求めた環境条件ごとの設定データを提示する機能を備えることを特徴とする請求項１記載のエネルギー管理装置。
【請求項３】
前記時間帯別分析部により求めた時間帯別の設定データを提示する機能を備えることを特徴とする請求項１又は２記載のエネルギー管理装置。
【請求項４】
前記時間帯別分析部が導出した時間帯別の最適な設定データを前記コントローラが前記空調装置および前記冷凍冷蔵ショーケースを制御する設定データとして用いる機器制御部を備えることを特徴とする請求項１〜３のいずれか１項に記載のエネルギー管理装置。
【請求項５】
前記機器制御部は、前記空調装置の設定温度を適宜に変化させることにより、前記環境条件別のデータセットを抽出するためのデータを取得する機能を備えることを特徴とする請求項４記載のエネルギー管理装置。
【請求項６】
前記データ集計部は、データセットを分類する前記環境条件として外気温と外気の湿度とを用いて分類することを特徴とする請求項１〜５のいずれか１項に記載のエネルギー管理装置。
【請求項７】
前記コントローラは、前記環境条件別分析部が導出した設定データを用いて前記空調装置および前記冷凍冷蔵ショーケースを制御することを特徴とする請求項１〜６のいずれか１項に記載のエネルギー管理装置。
【請求項８】
前記データ集計部は、前記空調装置および前記冷凍冷蔵ショーケースの通常運転の期間のみにおける設定データと運転データと環境データとを採用することを特徴とする請求項１〜７のいずれか１項に記載のエネルギー管理装置。
【発明の詳細な説明】
【技術分野】
【０００１】
本発明は、空調装置と冷凍冷蔵ショーケースとを備える空間においてエネルギーの消費量の増加を抑制するように空調装置および冷凍冷蔵ショーケースの運転を適正化するエネルギー管理装置に関するものである。
【背景技術】
【０００２】
一般に、空調装置と冷凍冷蔵ショーケースとが一つの空間に配置される食品スーパーなどでは、空調装置と冷凍冷蔵ショーケースとの運転状態が、互いのエネルギーの消費量に影響を与えることが知られている。ただし、空調装置と冷凍冷蔵ショーケースとが互いにどの程度の影響を与えるかは、空調装置や冷凍冷蔵ショーケースの構成、空間を形成している建物の構造などによって相違する。したがって、当該空間におけるエネルギーの消費量の合計を抑制するように、空調装置と冷凍冷蔵ショーケースとの運転の内容を決定することには困難を伴う。
【０００３】
そのため、従来は、空調装置および冷凍冷蔵ショーケースの構成や建物の構造が異なっていても、運転の内容が同じであったり、運転の内容を決めるルールが同じであることが多く、最終的には利用者の感覚に基づいて運転の内容が決定されていた。
【０００４】
また、特許文献１には、人の快適感を考慮し、冷房運転時と暖房運転時とにおける適正な室温を、外気温に対する固定的な関数で定式化し、利用者による設定温度と関数によって導出される温度とを比較して、消費エネルギーが少なくなる温度を空調装置の目標温度とする技術が記載されている。特許文献１に記載の技術を用いると、個々の利用者の感覚によらず、固定的な関数を適用することで外気温に対する室温を適正化し省エネルギー化が図れるとしている。
【先行技術文献】
【特許文献】
【０００５】
【特許文献１】特開２００３−２８４７８号公報
【発明の概要】
【発明が解決しようとする課題】
【０００６】
しかし、特許文献１に記載の技術では、人の快適感を考慮して室温の設定温度を決定する関数を適用していることから、それが必ずしも省エネルギーにつながるとは限らないという問題を有している。空調装置と冷凍冷蔵ショーケースとが一つの空間に配置される食品スーパーなどでは、空調装置と冷凍冷蔵ショーケースとの運転状態が、互いのエネルギーの消費量に影響を与える。そのため、たとえば、快適性を考慮した空調装置の温度設定が、冷凍冷蔵ショーケースに対しては消費エネルギーの増加の影響を与え、結局、空調装置と冷凍冷蔵ショーケースの全体としてはエネルギーの消費量が増加する結果となることがある。
【０００７】
また、特許文献１に記載の技術では、外気温に対する室温の関係が固定的に設定されているから、空調装置および冷凍冷蔵ショーケースの構成や建物の構造が異なる場合に、省エネルギーとなるように最適化を図ることはできない。ここで、外気温に対する室温の関係を固定的に設定するのではなく、データマイニングの技術を用いると、省エネルギー化を図るための外気温に対する最適な室温を求めることができると考えられる。
【０００８】
しかしながら、食品スーパーや百貨店の食品売場のような空間では、空間内の人数の増減が大きいことから、空間に存在する人が放熱する熱量が空調装置や冷凍冷蔵ショーケースで消費するエネルギー量に影響する。しかしながら、特許文献１には、空調装置および冷凍冷蔵ショーケースで消費されるエネルギー量が、空間内の人数によって影響を受けることがまったく考慮されていない。そのため、空調装置および冷凍冷蔵ショーケースで消費するエネルギー量を最適化することは依然として困難である。
【０００９】
本発明は上記事由に鑑みて為されたものであり、その目的は、空調装置および冷凍冷蔵ショーケースが配置されている空間内における人数の影響も考慮して総合的にエネルギーの消費量を低減することを可能にするエネルギー管理装置を提供することにある。
【課題を解決するための手段】
【００１０】
本発明は、上記目的を達成するために、空調装置と冷凍冷蔵ショーケースとが配置された空間において、空調装置と冷凍冷蔵ショーケースとを含む空間のエネルギーの消費量を管理するエネルギー管理装置であって、空調装置および冷凍冷蔵ショーケースの動作を設定データに基づいて制御するコントローラと、空調装置および冷凍冷蔵ショーケースにおけるエネルギーの消費量を含む運転データを監視する運転データ監視部と、空調装置および冷凍冷蔵ショーケースの室外機の周辺の外気温を含む環境データを監視する環境データ監視部と、１組の運転データに対して時間帯が同じである環境データおよび設定データを関連付けて１つのデータセットとし環境データの特定の環境条件ごとのデータセットを分類するデータ集計部と、前記環境条件ごとにデータセットの中の運転データに含まれる空調装置および冷凍冷蔵ショーケースのエネルギーの消費量に着目して前記環境条件ごとに省エネルギーとなる最適な設定データを求める環境条件別分析部と、環境条件別分析部が求めた前記環境条件ごとの最適な設定データを用いて時間帯別の前記環境条件の平均値から時間帯別に省エネルギーとなる最適な設定データを求める時間帯別分析部と、空間に存在する人数を計数する人数計数装置とを備え、環境データ監視部が監視する環境データは、人数計数装置により計数した人数を含み、環境条件別分析部は、前記環境条件ごとの最適な設定データを求める際に環境データに含まれる人数による補正を行うことを特徴とする。
【００１１】
環境条件別分析部により求めた環境条件ごとの設定データを提示する機能を備えることが望ましい。
【００１２】
また、時間帯別分析部により求めた時間帯別の設定データを提示する機能を備えることが望ましい。
【００１３】
さらに、時間帯別分析部が導出した時間帯別の最適な設定データをコントローラが空調装置および冷凍冷蔵ショーケースを制御する設定データとして用いる機器制御部を備えることが望ましい。
【００１４】
機器制御部は、空調装置の設定温度を適宜に変化させることにより、前記環境条件別のデータセットを抽出するためのデータを取得する機能を備えることが望ましい。
【００１５】
データ集計部は、データセットを分類する前記環境条件として外気温と外気の湿度とを用いて分類してもよい。
【００１６】
コントローラは、環境条件別分析部が導出した設定データを用いて空調装置および冷凍冷蔵ショーケースを制御する構成を採用することができる。
【００１７】
データ集計部は、空調装置および冷凍冷蔵ショーケースの通常運転の期間のみにおける設定データと運転データと環境データとを採用することが望ましい。
【発明の効果】
【００１８】
本発明の構成によれば、空調装置および冷凍冷蔵ショーケースが配置されている空間における室温と、外気温とを含む環境条件だけではなく、当該空間に存在する人数の影響を考慮して空調装置および冷凍冷蔵ショーケースの設定データを補正するので、総合的にエネルギーの消費量を低減することが可能になるという利点がある。
【図面の簡単な説明】
【００１９】
【図１】実施形態を示すブロック図である。
【発明を実施するための形態】
【００２０】
本実施形態では、図１に示すように、空調装置３１および冷凍冷蔵ショーケース３２の制御および監視を行う端末装置２と、空調装置３１および冷凍冷蔵ショーケース３２により消費されるエネルギーを管理する管理装置１とを備える構成を例示する。図示例では、端末装置２と管理装置１とは、電気通信回線３を介して通信可能になっている。冷凍冷蔵ショーケース（以下、「冷蔵装置」という）３２は、クローズ型とオープン型とのいずれでもよいが、本実施形態の構成は、オープン型である場合にとくに効果が期待できる。
【００２１】
管理装置１および端末装置２は、それぞれコンピュータを用いて実現するほか、専用装置として実現することも可能である。電気通信回線３は、インターネットのような公衆網のほか専用回線を用いる場合もある。また、管理装置１の機能と端末装置２の機能とを一体化し、通信を行わずにエネルギーを管理する構成を採用することも可能である。
【００２２】
図示例では、食料品を扱うスーパーマーケット（以下、「食品スーパー」という）の店内の空間を想定するが、百貨店など空調装置３１と冷蔵装置３２とが併用される他の空間に本実施形態の技術を適用することを妨げない。また、空調装置３１と冷凍冷蔵ショーケース３２とは、ともに電気エネルギーを消費することにより、室内ないし庫内の温度環境を調節する構成を想定している。したがって、以下ではエネルギーを電力として説明するが、燃料ガスを用いて温度環境を調節する構成を採用することも可能である。
【００２３】
冷蔵装置３２は、周囲温度が変化すると庫内温度を保つために消費される電力量が変化する。したがって、空調装置３１により温度が調節されている空間内に冷蔵装置３２が配置されている場合に、空調装置３１と冷蔵装置３２との電力の消費量は関連性を持つことになる。さらに、本実施形態では、空間内に存在する人からの放熱分を空調装置３１および冷蔵装置３２における電力の消費量に関連性を持つ要素として勘案することを特徴にしている。
【００２４】
すなわち、空調装置３１の冷房運転時には人からの放熱量が増加すれば空調装置３１が設定温度を維持するために消費する電力量を増加させることが必要になる。一方、空調装置３１の暖房運転時には人からの放熱量が増加すれば空調装置３１が設定温度を維持するために消費する電力量は減少させることが可能になる。同様にして、冷蔵装置３２についても、店内の人数の増加に伴って周囲温度が上昇する可能性があり、庫内温度を維持するために電力の消費量が増加する可能性がある。
【００２５】
空調装置３１および冷蔵装置３２は、それぞれ室内機３１ａ，３２ａと室外機３１ｂ、３２ｂとを備えている。空調装置３１および冷蔵装置３２による消費電力量は、室内温度および庫内温度の目標値である設定温度と、室外機３１ｂ，３２ｂが設置されている屋外の外気温との影響を受ける。したがって、店内の室温を計測する室温センサ３３および室外機３１ｂ，３２ｂの付近の外気温を計測する外気温センサ３４を設けている。
【００２６】
室温センサ３３により計測される室温は計測する場所によって異なる可能性がある。上述のように、冷蔵装置３２の庫内温度は室内機３２ａの周囲温度と関連性を持つから、室温センサ３３では、室内機３２ａの周囲温度を計測するのが望ましい。また、店内の人からの放熱も考慮するために、店内の室温の代表値も計測することが望ましい。さらに、外気温センサ３４は、空調装置３１と冷蔵装置３２との各室外機３１ｂ，３２ｂの近傍の外気温を個別に計測するのが望ましい。なお、外気温センサ３４は省略することが可能である。
【００２７】
店内には、店内の人数を計数する人数計数装置３５も配置される。人数計数装置３５は、店内の人数の目安が得られる程度の精度があればよく、１人単位で人数を正確に計測しなくてもよい。この種の人数計数装置３５としては、店内への出入口に設けられ赤外線や超音波により人の通過を検知するアクティブ型の装置や、出入口の上方に配置したＴＶカメラで撮像した画像を用いて人の通過を検知するパッシブ型の装置が知られている。これらの人数計数装置３５を用いることにより、出入口を通過した人数と人の通過方向とから店内の人数を推定することができる。また、店内に設けたＴＶカメラで撮像した画像から店内の人数を推定する構成を採用してもよい。
【００２８】
端末装置２は、空調装置３１および冷蔵装置３２の動作を指示する動作指示部として機能するコントローラ２１を備える。コントローラ２１は、空調装置３１の設定温度や冷蔵装置３２の設定温度を保持する設定保持部２１ａを備え、設定保持部２１ａが保持する設定温度を空調装置３１および冷蔵装置３２に目標値として指示する。表１に設定保持部２１ａの設定内容の例を示す。
【００２９】
【表１】
2011257072.tif 000003
【００３０】
コントローラ２１では、空調装置３１および冷蔵装置３２に対して、設定温度を指示するほか、運転と停止とを指示し、空調装置３１に対しては冷房運転と暖房運転との別を指示する。このほか、空調装置３１や冷蔵装置３２に付加動作（たとえば、冷蔵装置３２に霜取りを行うデフロスト動作）があれば、付加動作の開始および停止の指示もコントローラ２１が行う。以下では、コントローラ２１から空調装置３１および冷蔵装置３２への指示を与えるデータを設定データと呼ぶ。
【００３１】
また、端末装置２は、空調装置３１および冷蔵装置３２の動作を監視する動作監視部としての運転データ収集部２２を備える。運転データ収集部２２では、空調装置３１および冷蔵装置３２の運転状態や空調装置３１および冷蔵装置３２の単位時間当たりの消費電力量を運転データとして取得する。また、運転データ収集部２２は、吹出温度、庫内温度のように冷蔵装置３２から出力される運転データを監視する。運転データ収集部２２は、空調装置３１および冷蔵装置３２から出力される運転データを一時的に記憶する機能も備える。
【００３２】
空調装置３１および冷蔵装置３２が出力する運転データに関して上述した種類は例示であり、たとえば、空調装置３１に吹出温度を計測する機能があれば、空調装置３１の吹出温度を運転データ収集部２２で収集することも可能である。
【００３３】
端末装置２には、室温センサ３３および外気温センサ３４で検出されている温度と、人数計数装置３５により求めた店内の人数とを、環境データとして監視する環境条件監視部としての環境データ収集部２３も設けられる。環境データ収集部２３は、室温センサ３３および外気温センサ３４により計測した室温および外気温と、人数計数装置３５が計数した店内の人数とを環境データとして一時的に記憶する機能も備える。さらに、環境データ収集部２３では、店員のシフトを管理するシフト管理装置と通信を行うことにより、店内の人数として店員の人数も考慮するようにしてもよい。
【００３４】
上述の構成例では、コントローラ２１と運転データ収集部２２と環境データ収集部２３とを、端末装置２に一体に設けているが、これらを個別に設けることも可能である。
【００３５】
一方、管理装置１は、端末装置２におけるコントローラ２１と運転データ収集部２２と環境データ収集部２３とから、それぞれ設定データ、運転データ、環境データを取得する設定データ取得部１１と運転データ取得部１２と環境データ取得部１３とを備える。
【００３６】
すなわち、設定データ取得部１１は、空調装置３１の設定温度や冷蔵装置３２の設定温度をコントローラ２１から取得し、コントローラ２１が空調装置３１および冷蔵装置３２に指示した動作の内容を取得する。また、運転データ取得部１２は、運転データ収集部２２から空調装置３１および冷蔵装置３２に関する運転データを取得する。環境データ取得部１３は、環境データ収集部２３から室温センサ３３、外気温センサ３４、人数計数装置３５が計測した計測値を環境データとして取得する。
【００３７】
したがって、運転データ取得部１２および運転データ収集部２２は、運転データを監視する運転データ監視部として機能し、環境データ取得部１３および環境データ収集部２３は、環境データを監視する環境データ監視部として機能する。また、以下に説明するように、本実施形態の管理装置１は、環境データに含まれる環境条件のうち外気温に着目するから、外気温センサ３４も環境データ監視部の機能を有することになる。
【００３８】
設定データ取得部１１が取得した設定データと、運転データ取得部１２が取得した運転データと、環境データ取得部１３が取得した環境データとは、データ集計部１４に入力される。データ集計部１４は、運転データと同時刻の設定データおよび環境データをデータセットとして関連付け、各データセットを特定の着目する環境条件によって分類する。ここでは、環境条件として外気温センサ３４により計測した外気温を用いる。外気温は、空調装置３１の室外機３１ｂと冷蔵装置３２の室外機３２ｂとのいずれかの周辺の外気温を用いればよい。また、両者の平均値を用いたり、別途に設けた外気温センサで計測した外気温を用いてもよい。
【００３９】
このとき、データ集計部１４は、運転データ取得部１２が運転データ収集部２２から取得した運転データに含まれる空調装置３１または冷蔵装置３２のいずれかの運転状態が異常状態を示す運転データに関しては処理対象からは除外するものとする。つまり、データセットの中には、空調装置３１または冷蔵装置３２のいずれかの運転状態が異常状態の場合のデータは含まれない。
【００４０】
データ集計部１４により１℃刻みの外気温別に分類されたデータセットが得られると、これらのデータセットは環境条件別分析部１５に入力される。環境条件別分析部１５は、各データセットの運転データに含まれる空調装置３１の消費電力量と冷蔵装置３２の消費電力量を合計した消費電力量を算出する。
【００４１】
このとき、環境条件別分析部１５は、環境データから店内の人数を求め、１℃刻みの外気温別に分類されたデータセットを、さらに、２０人刻みの店内の人数の人数帯別に分類して、適宜に設定した人数補正係数α，βを用いて合計の消費電力量を補正する。人数帯は、たとえば、１〜２０人の人数帯、２１〜４０人などに分類する。人数補正係数α，βは、空調装置３１による冷房時と暖房時とで個別に設定されており、冷房時の人数補正係数αは１人当たりの消費電力量の増加分を表し、暖房時の人数補正係数βは１人当たりの消費電力量の減少分を表す。すなわち、人数補正係数α，βの単位は［Ｗｈ／人］になる。なお、人数補正係数α，βは、実測に基づいて設定する必要があるから、環境条件別分析部１５には、人数補正係数α，βを実測に基づいて補正するパラメータ補正部（図示せず）を設けるのが望ましい。
【００４２】
店内の人数の人数帯ごとの平均値をその人数帯の基準人数として定めておく（たとえば、１〜２０人の人数帯の基準人数は１０人、１０１〜１２０人の人数帯の基準人数は１１０人と定める）。当該基準人数に対して増減した人数に人数補正係数α，βを乗じた値を消費電力量の補正値に用いると、実際の消費電力量から店内の人数が基準人数であった場合の消費電力量を推定することができる。具体的には、冷房時には（店内人数−基準人数）×αを減算し、暖房時には（店内人数−基準人数）×βを加算することにより、店内の人数が基準人数であった場合の消費電力量を推定することができる。
【００４３】
環境条件別分析部１５は、上述のようにして補正した消費電力量を用いて空調装置３１の消費電力量と冷蔵装置３２の消費電力量を合計した消費電力量を算出する。また、店内の人数の人数帯と外気温の組み合わせごとに、算出した空調装置３１と冷蔵装置３２の合計の消費電力量が比較的小さいデータセットを複数個抽出する。さらに、その抽出したデータセットに含まれる設定データを基に空調装置３１と冷蔵装置３２の合計の消費電力量が最小になる確率が高い最適省エネルギー設定データを導き出す。
【００４４】
この場合、環境条件別分析部１５は、店内の人数の人数帯と外気温の組み合わせごとに、合計の消費電力量が最小になる最適省エネルギー設定データを導き出すにあたって、まず、設定データのうち運転モードなどの運転状態に関しては多数派の運転状態を設定データとして選択する。さらに、設定データのうち設定温度などの数値に関しては、先に選択した多数派の運転状態を示すデータセットにおける数値の平均値を設定データとして算出することで最適省エネルギー設定データを決定する。また、その際さらに環境条件別分析部１５は、店内の人数の人数帯と外気温の組み合わせごとの合計の消費電力量の分布傾向を考慮して、最適省エネルギー設定データが店内の人数と外気温に対して連続的な値になるように設定データを補正してもよい。
【００４５】
表２は、ある人数帯に関して環境条件別分析部１５によって導出される外気温に対する最適省エネルギー設定データの例を示している。表２において、室温は環境データに基づく外気温に対する室温の平均値を示し、「空調運転状態」は最適省エネルギー設定データの内の空調装置３１の運転モードであり、「空調設定温度」は最適省エネルギー設定データの内の空調装置３１の設定温度である。サンプル数は、データ集計部１４が分類したサンプルデータとしてのデータセットの個数の多寡を示している。○はサンプルデータ数が十分で導出された最適省エネルギー設定データに十分な信頼性が得られることを意味し、△はサンプルデータ数がやや少ないことを意味している。表２に示す設定データは、人数を基準人数とした場合の値である。なお、表２および表３において「停」は停止、「冷」は冷房運転モードであることを示す。
【００４６】
【表２】
2011257072.tif 000004
【００４７】
管理装置１は、さらに、環境条件別分析部１５により求めた合計の消費電力量が最小になる店内の人数の人数帯と外気温の組み合わせごとの最適省エネルギー設定データを用い、時間帯ごとに設定データを割り当てる時間帯別分析部１６も備える。時間帯別分析部１６は、まず、時間帯（たとえば、毎正時から１時間の時間帯）ごとに外気温の平均値と店内の人数の平均値とを算出する。すなわち、時間帯別に店内の人数と外気温との平均値の組が得られる。
【００４８】
時間帯別分析部１６は、求めた平均値の組を、環境条件別分析部１５が求めた店内の人数の人数帯と外気温の組み合わせごとの最適省エネルギー設定データと照合することにより、当該平均値に対応した設定データを求めるのである。この設定データは、各時間帯において空調装置３１と冷蔵装置３２との合計の消費電力量が最小になる（つまり、省エネルギーとなる）確率が高い最適省エネルギー設定データになる。求めた最適省エネルギー設定データは、モニタ装置（図示せず）を通して利用者（食品スーパーのエネルギーを管理する管理者など）に提示すれば、省エネルギーを促すことになる。
【００４９】
さらに、管理装置１は、時間帯別分析部１６により求められた時間帯別の設定データに基づいてコントローラ２１の設定保持部２１ａに保持されている設定データを変更する機器制御部１７を備えていてもよい。機器制御部１７を設けると、コントローラ２１は、外気温および店内の人数に応じて自動的に最適な設定データを用いて空調装置３１および冷蔵装置３２を運転することになる。
【００５０】
時間帯別分析部１６により求められる時間帯別の設定データの例を表３に示す。表３において時間帯の数値は、正時から次の正時までの時間帯（すなわち、毎時００分から５９分までの１時間）を示している、また、「現状空調設定」は、コントローラ２１の設定保持部２１ａに設定されている設定データを示し、「推奨空調設定」は、時間帯別分析部１６が求めた最適省エネルギー設定データを示している。表３において「冷」の下に記載されている数値は、設定温度［℃］を示している。
【００５１】
【表３】
2011257072.tif 000005
【００５２】
表３のような設定データを利用者に提示するにあたり、時間帯別の来店者数や時間帯別の売上金額を同時に表示してもよい。また、最適な設定データ、環境データ、来店者数、売上金額などの時間経過に伴う推移を示すために、時間を横軸としたグラフを表示してもよい。
【００５３】
上述の例では、データ集計部１４と環境条件別分析部１５と時間帯別分析部１６とは、店内の人数以外では外気温に着目しているが、外気温に加えて外気の湿度を組み合わせてもよい。一般に、相対湿度の高いほうが体感温度が高くなる傾向があるから、外気温に加えて外気の湿度を考慮すれば、体感温度に応じた省エネルギーが可能になる。
【００５４】
ところで、上述の構成例では、管理装置１の機器制御部１７において求めた設定データを、コントローラ２１の設定保持部２１ａに与えることにより、空調装置３１および冷蔵装置３２を時間帯別に制御している。これに対し、環境条件別分析部１５が求めた外気温および店内の人数の人数帯の組に対する設定データを用い、コントローラ２１が、外気温と店内の人数とに従ってリアルタイムで空調装置３１および冷蔵装置３２を制御するようにしてもよい。
【００５５】
なお、データ集計部１４において外気温ごとのデータセットのデータ数が十分に多く得られるように、機器制御部１７では、空調装置３１の設定温度を、所定の上下限値の範囲内において適宜に変化させててもよい。
【００５６】
また、データ集計部１４では、空調装置３１あるいは冷蔵装置３２に異常があった時間帯および異常の影響が残っている時間帯についてはデータを集計しないのが望ましい。異常の影響が残っている時間帯とは、異常が除去された後に、通常の運転状態に回復するまでの時間帯を意味する。
【００５７】
なお、上述の構成例において、管理装置１で求めた結果を電気通信回線３を通して端末装置２に送信し、端末装置２に設けたモニタ装置に提示しているが、管理装置１に併せて結果を提示してもよい。また、電気通信回線３を通して管理装置１および端末装置２とは異なる他の装置に提示する構成を採用してもよい。
【符号の説明】
【００５８】
１２  運転データ取得部（運転データ監視部）
１３  環境データ取得部（環境データ監視部）
１４  データ集計部
１５  環境条件別分析部
１６  時間帯別分析部
１７  機器制御部
２１  コントローラ
２２  運転データ収集部（運転データ監視部）
２３  環境データ収集部（環境データ監視部）
３１  空調装置
３２  冷凍冷蔵ショーケース
３５  人数計数装置
３３  室温センサ
３４  外気温センサ（環境データ監視部）
【図１】
2011257072.tif 000006